(57)【要約】【課題】スケートボード利用者の体型や体力に関係なく、誰もが少ない力で長時間、長距離の利用ができる自走式スケートボードを提供する。【解決手段】スケートボード板と、該スケートボード板下部の所定位置に取り付けられた複数の車輪部と、該車輪部のいずれかに形成された回転伝達機構と、該回転伝達機構に連設し回動軸を介して前記スケ−トボード板上面に回動自在に設けられた板状の第１の駆動機構と、該第１の駆動機構の上面に設けられ前記回動軸を軸通して設けられた回動機構と、該回動機構と駆動伝達機構を介し前記第１の駆動機構上面に設けられたペダル体を有する第２の駆動機構と、から構成される。【選択図】        図１
2007044358.tif 000002
【特許請求の範囲】
【請求項１】
自走式スケートボードであって、スケートボード板と、該スケートボード板下部の所定位置に取り付けられた複数の車輪部と、該車輪部のいずれかに設けられた回転伝達機構と、該回転伝達機構に連設する回動軸を介し前記スケ−トボード板上面に回動自在に設けられた板状の第１の駆動機構と、該第１の駆動機構の上面に設けられ前記回動軸を挿通して設けられた回動機構と、該回動機構と駆動伝達機構を介し前記第１の駆動機構上面に設けられたペダル体を有する第２の駆動機構と、から構成される自走式スケートボード。
【請求項２】
前記駆動伝達機構は、前記回動軸を軸通して設けられた回動機構と、前記ペダル体を有する第２の駆動機構とを連結するベルト体であることを特徴とする請求項１記載の自走式スケートボード。
【請求項３】
前記駆動伝達機構は、前記回動軸を軸通して設けられた回動機構と、前記ペダル体を有する第２の駆動機構とを連結する歯合機構であることを特徴とする請求項１記載の自走式スケートボード。
【請求項４】
前記回転伝達機構は、ラチェット機構を含むことを特徴とする請求項１乃至３記載の自走式スケートボード。
【請求項５】
前記第２の駆動機構と回動機構は、ラチェット機構を含むことを特徴とする請求項１乃至３記載の自走式スケートボード。
【発明の詳細な説明】
【技術分野】
【０００１】
本発明は、自走式スケートボードに関するものである。
【背景技術】
【０００２】
従来、スケートボードはハーフパイプ等の人工的な坂を利用して滑走し、重心を移動させながら走行、回転等を繰り返し使用されるものがほとんどであった。そのため傾斜の少ない平坦な場所での移動の際には、スケートボードに一方の足を載せ、他方の足で地面をける必要があり、長時間の移動や長距離の移動は利用者の足や腰に多大の負担を要し、実用的なものではなかった。
【０００３】
そこで、一体状のボードと、このボードの前後を含む２ヵ所以上に連結された走行用の車輪と、車輪を駆動する駆動機構と、ボードに乗った運転操作者の重心移動によって駆動装置の正逆転駆動、停止、前進、後退更には速度調整を制御する手段とを具えたことを特徴とする自走式スケートボードが提案されている（特許文献１参照。）。また、本発明者が先に出願した車輪駆動用ペダル付スケートボードもある（特許文献２参照。）。
【０００４】
【特許文献１】特開２００３−２３７６７０号公報
【特許文献２】特開２００３−２２７６号公報
【発明の開示】
【発明が解決しようとする課題】
【０００５】
しかしながら、上記特許文献１に提案されている自走式スケートボードの場合、ボードに駆動装置や各種の検出手段を必要とし、非常に高価なものであり、しかも長時間、長距離の使用のためには予備の電源装置が必要となるという問題点がある。
【０００６】
また、上記特許文献２に提案されている車輪駆動用ペダル付スケートボードの場合、スケートボード利用者の足のペダル操作によってスケートボードの走行を可能とするものであるが、緩やかな上り坂においてはペダルに大きな負荷が生じ、足に負担となる虞れがあり、また利用者の足の載置位置が固定されるため、利用者の体型（身長、足の長さ等）によっては使いにくいという問題点もある。
【０００７】
本発明は、上記の問題点に鑑みなされたもので、各種の検出手段や電源装置等を必要とせず安価であり、しかも利用者の体型に制限されず誰でも利用することができ、少ない負荷で長時間、長距離の走行を可能とする自走式スケートボードを提供するものである。
【課題を解決するための手段】
【０００８】
このため本発明の自走式スケートボードは、スケートボード板と、該スケートボード板下部の所定位置に取り付けられた複数の車輪部と、該車輪部のいずれかに設けられた回転伝達機構と、該回転伝達機構に連設し回動軸を介し前記スケ−トボード板上面に回動自在に設けられた板状の第１の駆動機構と、該第１の駆動機構の上面に設けられ前記回動軸を挿通して設けられた回動機構と、該回動機構と駆動伝達機構を介し前記第１の駆動機構上面に設けられたペダル体を有する第２の駆動機構と、から構成されることを第１の特徴とする。
【０００９】
また、前記駆動伝達機構は、前記回動軸を軸通して設けられた回動機構と、前記ペダル体を有する第２の駆動機構とを連結するベルト体であることを第２の特徴とする。
【００１０】
そして、前記駆動伝達機構は、前記回動軸を軸通して設けられた回動機構と、前記ペダル体を有する第２の駆動機構とを連結する歯合機構であることを第３の特徴とする。
【００１１】
しかも、前記回転伝達機構は、ラチェット機構を含むことを第４の特徴とする。
【００１２】
さらに、前記第２の駆動機構と回動機構は、ラチェット機構を含むことを第５の特徴とする。
【発明の効果】
【００１３】
本発明に係る自走式スケートボードによれば、利用者が２種類の駆動機構を選択し足で操作することによって、片足で地面を蹴ることなくスケートボードに乗ったままで長時間、長距離の走行が可能であるという優れた効果を有する。
【００１４】
また、前記板状の第１の駆動機構を足の操作によって回動させ、該第１の駆動機構上面に設けられた第２の駆動機構を介して前記回動機構を回動させることができるため、ペダル体を操作することなくしかも少ない負荷で操作が可能であるため、緩やかな上り坂であっても利用者は楽にスケートボードを走行させることができるという効果を有する。
【００１５】
さらに、前記回転伝達機構或いは第２の駆動機構及び回動機構にラチェット機構を含んでいるため、スケートボードの車輪部の回動が、前記第１の駆動機構または第２の駆動機構に伝わらないため安全であるという優れた効果を有する。
【発明を実施するための最良の形態】
【００１６】
以下、本発明を実施するための最良の形態を図面に示す実施例に基づいて説明するが、本発明が本実施例に限定されないことは言うまでもない。図１は本発明に係る自走式スケートボードの一実施例を示す斜視図、図２は図１の縦断面説明図。図３は図１の部分切り欠き説明図、図４は本発明に係る自走式スケートボードの他の実施例を示す斜視図である。
【実施例】
【００１７】
図１乃至図３に示すように、本発明に係る自走式スケートボード１は、スケートボード板２の下部に設けられた複数の車輪１０と、車輪１０の車軸１２近傍に設けられた歯車部１１と、該歯車部１１と歯合し回動軸８を軸通する歯車９とを有し、車輪１０は車軸１２の略中央に設けられた軸受１３と軸受１３を介して取付けられた支柱１４によりスケートボード板２下部に回動可能に取付けられ、後述する駆動機構（駆動板３、ベルト車５、６、ベルト７）の回動によって回動軸８が回動し、回動軸８に連結する歯車９の回動に伴い車輪１０が回動し走行可能とされている。
【００１８】
回動軸８は、スケートボード板２及び駆動板３を挿通してベルト車５に軸通し、ベルト車５はベルト７を介してペダル４を有するベルト車６と連結する。さらにベルト車６の回動軸４１は駆動板３の所定位置に挿通し、ベルト車６は駆動板３上で回動自在とされる。この構成においてスケートボード利用者が足でペダル４を介してベルト車６を回動させると、ベルト車６の回動はベルト７を介してベルト車５を回動させ、さらにベルト車５と回動軸８で連結する歯車９の回動によって上述のように車輪１０が回動する。ここで、べルト車５は予めラチェット機構を有しており、車輪１０の回動に連動してベルト車５が回動することを防止し、また例えばベルト車５が時計回りに回動して車輪１０が回動し前進する場合にはベルト車５を反時計回りに回動させてもベルト車５は空転し車輪１０に反時計回りの作用は伝達されない。
【００１９】
次に図３により、本発明による自走式スケートボード１の使用方法を説明すると、スケートボード利用者が片方の足でペダル４を回動させて自走式スケートボード１を走行させる方法に関しては上述の通りである。駆動板３を使用して自走式スケートボード１を走行させる場合は、利用者は両脚でスケートボード板２に乗り片方の足でペダル４とベルト車６とを駆動板３に加圧し回動しないように固定し、駆動板３を回動軸８を中心として回動させる。ここで駆動板３に固定されたベルト車６はベルト７を介してベルト車５と連結しており、駆動板３の回動に伴いベルト車５も回動する。ベルト車５が回動すると上述のように車輪１０も回動し自走式スケートボード１は走行する。ここで、駆動板３の回動は３６０度回動させる必要はなく、前記ベルト車５のラチェット機構（図示せず）によって例えば時計回りに９０度回動させて、次に反時計回りに９０度回動させる動作を繰り返すことによってベルト車５に時計回りの回動が伝達される。しかも回動軸８と足を載置した駆動板３までに適度の距離があるため、梃子の原理により少ない負荷で駆動板３を回動させることが可能となり、緩やかな上り坂であれば利用者は楽に自走式スケートボード１を走行させることができる。尚、本実施例においてはラチェット機構をベルト車５に設けた例で説明しているが、歯車９に設けたものであってもかまわない。さらに、駆動板３は回動自在とされているため利用者は駆動板３の回動と同時にベルト車６を回動させてもよく、利用者の体型（身長、足の長さ等）によって適宜選択が可能であり、必要に応じて駆動板３を所定の位置で固定する固定具を備えたものであってもよい。
【００２０】
次に図４により、本発明に係る自走式スケートボード１の他の実施例を説明する。図に示すようにスケートボード板２の上には駆動板３と、歯車１５と、歯車１５と歯合する歯車１６と、歯車１５に設けられたペダル４とで構成されている。尚、スケートボード板２の下部の車輪１０等の配置等は図１、２で示した実施例と略同等であるが、前記ベルト７による駆動伝達と異なり回動方向が逆向きとなるため、前記歯車９と歯合する歯車部１１を備えた車輪１０の取り付け位置は前記実施例と対向する位置とされている。
【００２１】
この構成による自走式スケートボード１を使用する場合は、利用者は両脚でスケートボード板２に乗り片方の足でペダル４を回動させ歯車１５を回動させる。歯車１５と歯合する歯車１６は歯車１５の回動と逆方法に回動し、歯車１６に軸通する回動軸８を介して歯車９と車輪１０が回動しスケートボード１の走行が可能となる。また、駆動板３を使用する場合は、上記したベルト車を使用する実施例と同様であり省略する。この構成において歯車１４及び歯車１５には各々ラチェット機構（図示せず）を備えており、該ラチェット機構の設定によって回動方向の設定が可能とされ、また車輪１０の回動が歯車１５に伝達されることを防止する。
【００２２】
以上、本発明による自走式スケートボードによれば、利用者が２種類の駆動機構を選択し足で操作することによって、片足で地面を蹴ることなくスケートボードに乗ったままで長時間、長距離の走行が可能であり、しかも少ない負荷で操作が可能であるため、緩やかな上り坂であっても楽にスケートボードを走行させることができ、さらにラチェット機構を含んでいるため、車輪の回動が、駆動機構に伝わらないため安全なスケートボードを提供できる。
【図面の簡単な説明】
【００２３】
【図１】本発明に係る自走式スケートボードの一実施例を示す斜視図である。
【図２】図１の縦断面説明図である。
【図３】図１の一部切り欠き説明図である。
【図４】本発明に係る自走式スケートボードの他の実施例を示す斜視図である。
【符号の説明】
【００２４】
１                  自走式スケートボード
２                  スケートボード板
３                  稼動板
４                  ペダル
５、６              ベルト車
７                  ベルト
８、４１            回動軸
９                  歯車
１０                  車輪
１１                  歯車部
１２                  車軸
１３                  軸受支柱
１４                  支柱
１５、１６            歯車
【図１】
2007044358.tif 000003
【図２】
2007044358.tif 000004
【図３】
2007044358.tif 000005
【図４】
2007044358.tif 000006